(57)【要約】  【課題】  光ディスク装置において、薄型化が可能な技術の提供。  【解決手段】  ユニットメカ部を覆うカバー部材を支点周りに変位可能な構成とし、かつ、光ディスクが装置内へ挿入されるとき、該光ディスクの平面に交差する方向に傾斜させてある上記カバー部材の平面に、該挿入される光ディスクの先端部を当接させ、該カバー部材の平面からの反力により該光ディスクの記録面の高さ位置を規制して所定の高さを確保する構成とする。【選択図】  図４
2006260719.tif 000002
【特許請求の範囲】
【請求項１】
光ピックアップを光ディスクの略半径方向に移動させ情報の記録または再生を行う光ディスク装置であって、
上記光ディスクを回転駆動するディスクモータと、上記光ピックアップと、該光ピックアップを上記光ディスクの略半径方向に案内しながら移動させる移動・案内機構と、該移動・案内機構を駆動する送りモータとが搭載されて成るユニットメカ部と、
支点周りに変位可能な構成を有し、上記ユニットメカ部を覆うカバー部材と、
を備え、上記光ディスクが装置内に挿入されるとき、該光ディスクの平面に交差する方向に傾斜した上記カバー部材の平面に該光ディスクの先端部を当接させ、該カバー部材を変位させるとともにその反力に基づき該光ディスクの記録面の高さ位置を規制する構成としたことを特徴とする光ディスク装置。
【請求項２】
光ピックアップを光ディスクの略半径方向に移動させ情報の記録または再生を行う光ディスク装置であって、
上記光ディスクを回転駆動するディスクモータと、上記光ピックアップと、該光ピックアップを上記光ディスクの略半径方向に案内しながら移動させる移動・案内機構と、該移動・案内機構を駆動する送りモータとが搭載されて成るユニットメカ部と、
支点周りに変位可能な構成を有し、上記ユニットメカ部を覆うカバー部材と、
上記光ディスクのチャッキングに先立ち、該光ディスクが装置内の所定の挿入途中位置にあるとき、上記カバー部材に力を与え、該カバー部材を上記支点周りに変位させる昇降機構と、
を備え、上記光ディスクが装置内に挿入されるとき、該光ディスクの平面に交差する方向に傾斜した上記カバー部材の平面に、該挿入される光ディスクの先端部を当接させ、該光ディスクの記録面の高さ位置を規制するとともに、該光ディスクが所定の挿入位置にあるとき、上記昇降機構により、上記カバー部材を、該光ディスクから離間する方向に変位させる構成としたことを特徴とする光ディスク装置。
【請求項３】
光ピックアップを光ディスクの略半径方向に移動させ情報の記録または再生を行う光ディスク装置であって、
装置内の所定位置にチャッキングされた上記光ディスクを回転駆動するディスクモータと、
装置基盤としての第１の基台と、
上記光ピックアップを上記光ディスクの略半径方向に案内して移動させる移動・案内機構と、
上記光ピックアップ、上記移動・案内機構及び上記ディスクモータが搭載され、上記第１の基台に対し、上記チャッキングされた光ディスクの半径方向の中点位置よりも外周側の位置に配された第１の支点の周りに回動する第２の基台と、
上記ディスクモータの中心軸位置よりも上記第１の支点寄りの位置に配された第２の支点の周りに変位する構成を有し、上記移動・案内機構を覆うカバー部材と、
上記第１の基台側に設けられ、上記チャッキング時、上記光ディスクが装置内の所定位置に挿入された状態で、上記第２の基台に回動力を与え該第２の基台を上記第１の支点の周りに昇降変位させる第１の昇降機構と、
上記チャッキングに先立ち、上記光ディスクが装置内の所定の挿入途中位置にあるとき、上記カバー部材に力を作用させ、該カバー部材を上記第２の支点の周りに変位させる第２の昇降機構と、
上記第１の昇降機構及び上記第２の昇降機構を駆動する昇降用モータと、
上記昇降用モータの駆動をオン・オフするスイッチ手段と、
変位により上記スイッチ手段の作動をオン・オフする変位部材と、
を備え、上記光ディスクが装置内に挿入されるとき、該光ディスクの平面に交差する方向に傾斜した上記カバー部材の平面に、該光ディスクの先端部を当接させ、該光ディスクの記録面の高さ位置を規制し、該光ディスクが所定の挿入位置に達したとき、上記変位部材により上記スイッチ手段をオン状態として上記昇降用モータの駆動をオン状態とし、上記第１の昇降機構により、上記第２の基台を該光ディスク側に回動変位させるとともに、上記第２の昇降機構により、上記カバー部材を該光ディスクから離間する方向に変位させる構成としたことを特徴とする光ディスク装置。
【請求項４】
光ディスクをディスクモータの回転軸に同心状にチャッキングして回転させ、光ピックアップを該光ディスクの略半径方向に移動させて情報の記録または再生を行う光ディスク装置であって、
上記ディスクモータの回転部上に配され、上記光ディスクのチャッキング時、該光ディスクの中心孔内に挿入され該光ディスクを半径方向に支持する凸状のクランパ部と、
上記ディスクモータの回転部上にあって上記クランパ部と同心状に配され、該クランパ部が上記光ディスクの中心孔内に挿入された状態で該光ディスクの平面部を支持するディスク平面支持部と、
上記クランパ部の上方に配され、該クランパ部との対向位置に貫通孔を有し、装置の表面側を覆うトップカバー部材と、
装置の裏面側を覆うボトムカバー部材と、
上記光ディスクを回転駆動するディスクモータと、上記光ピックアップと、該光ピックアップを上記光ディスクの略半径方向に案内しながら移動させる移動・案内機構と、該移動・案内機構を駆動する送りモータとが搭載されて成り、第１の支点の周りに回動変位するユニットメカ部と、
上記ユニットメカ部を上記第１の支点の周りに回動変位させる第１の昇降機構と、
第２の支点の周りに変位する構成を有し、上記ユニットメカ部を覆うカバー部材と、
上記チャッキングに先立ち、上記光ディスクが装置内の所定の挿入途中位置にあるとき、上記カバー部材に力を作用させ、該カバー部材を上記第２の支点の周りに変位させる第２の昇降機構と、
を備え、上記光ディスクが装置内に挿入されるとき、該光ディスクの平面に交差する方向に傾斜した上記カバー部材の平面に、該光ディスクの先端部を当接させ、該光ディスクの記録面の高さ位置を規制するとともに、該光ディスクが所定の挿入位置に達したとき、上記第２の昇降機構により、上記カバー部材を該光ディスクから離間する方向に変位させ、かつ、上記第１の昇降機構が上記ユニットメカ部を上昇させ、該光ディスクを上記トップカバー部材の対向面に当接させた状態で、上記クランパ部の先端面を、上記トップカバー部材の貫通孔から突出させ、ディスク投影領域内における平面部の高さ位置以上に高くする構成としたことを特徴とする光ディスク装置。
【請求項５】
上記ユニットメカ部は、上記送りモータが、上記チャッキングされた光ディスクの投影領域内にあって該光ディスクの半径方向の中点位置よりも外周側の位置に配された構成である請求項１、２または４に記載の光ディスク装置。
【請求項６】
上記カバー部材は、上記支点が、上記チャッキングされた光ディスクの半径方向の中点位置よりも外周側の位置に配された構成である請求項１または請求項２に記載の光ディスク装置。
【請求項７】
上記カバー部材は、上記傾斜が増大する方向に弾性復元力により付勢された構成である請求項１から４のいずれかに記載の光ディスク装置。
【請求項８】
上記トップカバー部材の外面と上記ボトムカバー部材の外面との間の距離は、９．５×１０−３ｍ以下である請求項４に記載の光ディスク装置。
【発明の詳細な説明】
【技術分野】
【０００１】
本発明は、光ディスクに対し情報を記録または再生する光ディスク装置に係り、特にその薄型化技術に関する。
【背景技術】
【０００２】
図９は、光ディスク装置の従来技術例を示す図である。図９において、光ディスク（図示なし）が装置内に挿入されるとき、該光ディスクは、前面パネル７'のディスク挿入・排出口から挿入され、ディスク外周部を、支点１３１ａ周りに回動するレバー１３１上のガイド１４２や、支点１３５ａ周りに回動するレバー１３５上のガイド１４１や、支点１３３ａ周りに回動するレバー１３３上のガイド１４４などによって支持され、センタリングされながら装置内の奥側に進む。光ディスクが装置内の所定位置に達すると、該位置で光ディスクは、対物レンズ４ａ'を含む光ピックアップ４'やディスクモータ２'などが搭載されたトラバース部（ユニットメカ部）の回動変位によって、ディスク平面支持部２ａ'上に載置され、所定のチャッキング状態とされる。ガイドシャフト１５０は、レバー１３１が回動するとき、該レバー１３１の下面に当接して該レバー１３１を支持し、光ディスクが挿入または排出される際の該光ディスクの記録面の高さ位置を規制し、該記録面がクランパ部３'などに接触して損傷などしないようにする。カバー部材６'は、トラバース部上に固定状態で1個設けられ、光ピックアップ４'を移動させるための機構部分などを覆う。
【０００３】
また、本発明に関連した従来技術であって、文献に記載されたものとしてはとしては、例えば、特開２００２−３５２４９８号公報（特許文献１）及び特開２００４−３９１９３号公報（特許文献２）に記載されたものがある。特開２００２−３５２４９８号公報には、薄型化と小型化が図れるディスク装置として、スピンドルモータと、ピックアップと、該ピックアップを移動させる駆動手段とをトラバースによって保持し、スピンドルモータをベース本体部の中央部に配し、かつ該トラバースを支点周りの回動可能な構成としてディスク挿入口側に配するとした構成が記載され、ディスクを装置内に挿入するときの該ディスクの支持は、ベース本体部側に固定されたディスクガイド１７、８１や、規制レバー１１０上に設けられたガイド１１２や、排出レバー１００上に設けられたガイド１０１で行うとされる。また、特開２００４−３９１９３号公報には、小型化及び薄型化を実現するためのディスクドライブ装置のディスクリリース機構として、リリース時にディスクを係止して保持するディスクカバーを、ディスクに対しディスクスピンドルと同じ側に設けるとした構成が記載され、ディスクを装置内に挿入するときの該ディスクの支持は、ディスクスライダ１９上に設けられたピンＡや、ディスクアーム２０上に設けられたピンＢや、センサリンク２４上に設けられたピンＣなどにより行うとされる。
【０００４】
【特許文献１】特開２００２−３５２４９８号公報
【特許文献２】特開２００４−３９１９３号公報
【発明の開示】
【発明が解決しようとする課題】
【０００５】
上記従来技術のうち、図８に示す構成においては、光ディスクの高さ位置を確保するためのガイドシャフト１５０が必要なため、装置の厚み寸法が増大し易く、薄型化を図りにくい。また、特開２００２−３５２４９８号公報記載の技術は、装置内に挿入されるときのディスク支持を、規制レバー１１０上のガイド１１２や、排出レバー１００上のガイド１０１などで行う構成のため、該規制レバー１１０や該排出レバー１００が高さ方向に変位した状態で回動した場合には、光ディスクの所定の高さ位置を確保することが困難となる。また、特開２００４−３９１９３号公報記載の技術も、装置内に挿入される際のディスクの支持を、ディスクスライダ１９上のピンＡや、ディスクアーム２０上のピンＢや、センサリンク２４上のピンＣなどにより行う構成のため、該ディスクスライダ１９や該ディスクアーム２０や該センサリンク２４などが高さ方向に変位した状態で回動した場合には、ディスクの所定の高さ位置の確保が難しい。
【０００６】
本発明の課題点は、上記従来技術の状況に鑑み、例えばスロットインタイプ（記録媒体としてのディスク単体を、トレイやケースなどを用いずに直接、装置内に挿入するタイプ）特にスリムスロットタイプ等の光ディスク装置において、光ディスクの装置への挿入時や排出時にもディスク面の高さ位置を確保し、ディスク面を損傷させない安全な構造下で、装置の小型化、特に一層の薄型化を図れるようにすることである。
本発明の目的は、かかる課題点を解決して、例えば装置厚さが９．５×１０−３ｍ以下の光ディスク装置を提供することにある。
【課題を解決するための手段】
【０００７】
上記課題点を解決するために、本発明では、基本的に、（１）光ディスク装置において、ユニットメカ部を覆うカバー部材を、支点周りに変位可能な構成とし、かつ、光ディスクが装置内へ挿入されるとき、該光ディスクの平面に交差する方向に傾斜させてある上記カバー部材の平面に、該挿入される光ディスクの先端部を当接させ、該カバー部材を変位させながら、該カバー部材の平面からの反力により該光ディスクの記録面の高さ位置を規制して所定の高さ位置を確保する構成とする。（２）光ディスク装置において、ユニットメカ部を覆うカバー部材を、支点周りに変位可能な構成とし、かつ、チャッキングに先立ち、光ディスクが装置内の少なくとも所定の挿入途中位置にあるとき、上記カバー部材に力を作用させ、該カバー部材を上記支点周りに変位させる昇降機構を備えた構成とし、上記光ディスクが装置内に挿入されるとき、該光ディスクの平面に交差する方向に傾斜した上記カバー部材の平面に、該光ディスクの先端部を当接させ、該カバー部材の平面からの反力により該光ディスクの記録面の高さ位置を規制するとともに、該光ディスクが所定の挿入位置にあるとき、上記昇降機構により、上記カバー部材を、その平面が該光ディスクから離間する方向に変位させる構成とする。
【発明の効果】
【０００８】
本発明によれば、スロットインタイプなどの光ディスク装置において、装置の小型化、特に一層の薄型化が可能となる。
【発明を実施するための最良の形態】
【０００９】
以下、本発明を実施するための最良の形態につき、図面を用いて説明する。
図１〜図８は、本発明の一実施形態の説明図である。図１は、本発明の一実施形態としてのスロットインタイプの光ディスク装置の構成例図であって、トップカバー部材を取外した状態を示す斜視図、図２は、図１の光ディスク装置の内部構成の平面図、図３は、図１の光ディスク装置におけるユニットメカ部の構成を示す平面図、図４は、図１の光ディスク装置における装置内へのディスク挿入時の説明図、図５は、図４のディスク挿入動作における各部の高さ位置の関係を示す図、図６は、図１の光ディスク装置においてユニットメカ部を覆うカバー部材を昇降変位させる昇降機構の拡大図、図７は、図６の昇降機構の動作説明図、図８は、図１の光ディスク装置におけるディスクチャッキング時の説明図である。
【００１０】
図１において、１は光ディスク装置、２は、光ディスク（図示なし）を回転させるディスクモータ、３は、ディスクモータ２の回転部上に配され、凸状の構成を有し、チャッキング時、該凸状部分が光ディスクの中心孔内に挿入されて該光ディスクをその半径方向に支持しチャッキングするクランパ部、２ａは、上記ディスクモータ２の回転部上にあって上記クランパ部３と同心状に配され、該クランパ部３が光ディスクの中心孔内に挿入された状態で該光ディスクの記録面側の平面部であって中心孔周囲の平面部を支持するディスク平面支持部、４は、レーザーを光ディスクの記録面に照射して情報の記録や再生を行う光ピックアップ、４ａは対物レンズ、５、６は、装置内部のユニットメカ部においてディスクモータ２、クランパ部３、ディスク平面支持部２ａなどの周囲の領域を覆い、該領域において光ディスクの記録面側の平面部と装置部品・機構との間を空間的に遮断するカバー部材、６ａ、６ｂは、カバー部材６の回動支点、Ｑは、２つの支点６ａ、６ｂを通る直線（以下、支点線という）、７は、光ディスク装置１の前面パネル、８は、上記クランパ部３の上方に配され、光ディスク装置１の表面側にあって装置を覆うトップカバー部材、８ａは、トップカバー部材８の外側の平面部（外側平面部）、８ｂは、トップカバー部材８上において上記クランパ部３との対向位置に設けられた貫通孔、８ｃは、貫通孔８ｂの周囲に設けられた凹部、１０は、光ディスク装置１の裏面側にあって装置を覆うボトムカバー部材、１１は、装置基盤を構成しボトムカバー部材１０と結合される第１の基台としてのベース部材、１２は、上記ディスクモータ２、クランパ部３、ディスク平面支持部２ａ、光ピックアップ４などが取付けられた第２の基台としてのユニットメカデッキ部材である。
【００１１】
対物レンズ４ａが搭載された光ピックアップ４は、送りモータ（図示なし）で回転駆動されるリードスクリュー部材（図示なし）により、チャッキングされた状態の光ディスクに対し略半径方向に移動される。カバー部材５、６のうち、カバー部材６は可動型構成を有し、光ディスクの挿入時及び排出時に、支点（第２の支点）６ａ、６ｂの周り（または支点線Ｑの周り）に回動変位する。支点６ａ、６ｂは、前面パネル７の近傍にあって、チャッキングされた光ディスク（図示なし）の半径方向の中点位置（光ディスクの半径の中間位置または光ディスクの内径と外径との間の中間点位置）よりもディスク外周側の位置に配される。また、該支点６ａ、６ｂは、本実施例構成においては、ユニットメカデッキ部材１２上に設けられるものとするが、特にこれに限定されず、例えば、ベース部材１１上などに設けられてもよい。
【００１２】
また、図２において、７１は、表面に送りねじが設けられ、回転により上記光ピックアップ４側に対し、光ディスクの略半径方向の移動力を与えるリードスクリュー部材、６０は、そのモータ回転軸をリードスクリュー部材７１に直結され、該リードスクリュー部材７１を回転駆動するステッピングモータ等の送りモータ、７２、７３は、光ピックアップ４の両側で該光ピックアップ４の略ディスク半径方向の移動を案内するガイド部材、４ｂは、先端部が上記リードスクリュー部材７１の送りねじに係合され、上記リードスクリュー部材７１の回転力を直線的移動力として光ピックアップ４側に伝えるラック部、３１、３２、３３は、光ディスクが前面パネル７側から装置内に挿入されたとき、及び、光ディスクが装置内から前面パネル７側に排出されるときに、該挿入・排出動作のための駆動力の伝達を行うレバー、３１ａはレバー３１の回動動作の支点部材、４１、４２は、上記挿入された光ディスクの外周に当接して該光ディスクのセンタリングを行うローラ、４３はアーム、８０はモータ、５０は、モータ８０への駆動入力の供給をオン・オフするスイッチ、２１は、レバー３２にモータ８０の回転駆動力を伝達する伝達機構、２２は、第１の基台としての上記ベース部材１１側に設けられ、光ディスクのチャッキング時、該光ディスクが装置内の所定位置に挿入された状態で上記ユニットメカデッキ部材１２に回動力を与え、該ユニットメカデッキ部材１２を昇降変位させる昇降機構（第１の昇降機構）、２５、２６は、上記ユニットメカデッキ部材１２の昇降変位の支点（第１の支点）である。他の符号は、上記図１の場合と同様である。
【００１３】
Ｇの部分には、上記レバー３２により作動されてカバー部材６を支点（第２の支点）６ａ、６ｂ周り（または支点線Ｑ周り）に昇降変位させる昇降機構（第２の昇降機構）（図示なし）が配されている。上記ユニットメカデッキ部材１２は、支点２５、２６の周りに回動することで昇降変位する。上記送りモータ６０、リードスクリュー部材７１、ガイド部材７２、７３なども、ディスクモータ２、クランパ部３とともにユニットメカデッキ部材１２上に設けられているため、該ユニットメカデッキ部材１２の上記昇降動作により、該ユニットメカデッキ部材１２とともに昇降変位（回動変位）する。伝達機構２１はギヤ列を備えて構成される。また、ローラ４２は、レバー３１上に設けられている。上記リードスクリュー部材７１、上記ラック部４ｂ及び上記ガイド部材７２、７３は、上記光ピックアップ４を上記光ディスクの略半径方向に案内して移動させる移動・案内機構を構成する。上記ユニットメカデッキ部材１２と、これに搭載される上記ディスクモータ２、上記クランパ部３、上記光ピックアップ４、上記移動・案内機構、上記送りモータ６０などは、全体としてユニットメカ部を構成する。
【００１４】
上記において、直結駆動型の送りモータ６０は、ユニットメカデッキ部材１２上において、チャッキング状態にある光ディスクの投影領域内（光ディスクをディスク平面に直角な方向に正投影した際にその影となる領域内。以下、投影領域内またはディスク投影領域内という）にあって該光ディスクの半径方向の中点位置（光ディスクの半径の中間位置または光ディスクの内径と外径との間の中間点位置）よりも外周側の位置に配される。つまり、送りモータ６０本体部の回動半径方向長さの約１／２の位置の点が、上記光ディスクの半径方向の中点位置よりも外周側の位置にあるようにされる。また、支点２５、２６は、チャッキング状態にある光ディスクの半径方向の中点位置（光ディスクの半径の中間位置または光ディスクの内径と外径との間の中間点位置）よりもディスク外周側の位置に配され、送りモータ６０を、上記光ディスクの上記投影領域内にあって該光ディスクの半径方向の中点位置（光ディスクの半径の中間位置または光ディスクの内径と外径との間の中間点位置）よりも上記支点２５、２６寄りの位置に配する構成、つまり、送りモータ６０本体部の回動半径方向長さの約１／２の位置の点が、上記光ディスクの半径方向の中点位置よりも上記支点２５、２６寄りの位置にある構成とすると、小型化、特に薄型化に対しより有効となる。
【００１５】
上記図１及び図２の構成において、光ディスクが装置内に挿入されてチャッキングされるときは、上記昇降機構（第１の昇降機構）２２が、第２の基台としての上記ユニットメカデッキ部材１２を、支点２５、２６の周りに回動させて所定位置にまで上昇させ、光ディスクを上記トップカバー部材８の凹部８ｃのディスク側の対向面に当接させた状態において、上記クランパ部３の先端面が該トップカバー部材８の貫通孔８ｂから突出し、該トップカバー部材８の凹部８ｃとディスク平面支持部２ａとで光ディスクをはさみ、クランパ部３に該光ディスクを装着させる。ユニットメカデッキ部材１２が上記上昇変位されるとき、送りモータ６０もその位置（光ディスクの外周側の位置または支点２５、２６寄りの位置）で該ユニットメカデッキ部材１２といっしょに上昇変位する。
【００１６】
上記光ディスク装置１において、光ディスクが前面パネル７側の挿入・排出口（図示なし）から装置内に挿入されるとき、可動型のカバー部材６は、予め該光ディスクの平面に交差する方向に傾斜した状態で弾性部材の弾性復元力により、該傾斜角が増大する方向に付勢されているものとする。挿入・排出口から挿入された光ディスクは、その先端部が、所定の挿入距離の位置で上記カバー部材６の平面に当接し、上記弾性復元力に抗して該カバー部材６の平面を押すことで該カバー部材６の平面から反力を受け、記録面の高さ位置が規制される。また、挿入・排出口から挿入されたとき、該光ディスクは、その外周が、ローラ４１、４２、アーム４３に対し、ローラ４１、４２、アーム４３の順で当接し、レバー３１、３２、３３を変位させながら、センタリングされる。このとき、ローラ４２は、光ディスクの挿入移動に伴い該光ディスクの外周に押されてレバー３１を支点部材３１ａ上の支点周りに矢印Ｅの方向に回動させる。
【００１７】
レバー３１は、該矢印Ｅ方向の回動変位量が所定量に達したとき、スイッチ５０をオン状態にする。スイッチ５０がオン状態となることで、モータ８０に対し駆動回路（図示なし）から所定の駆動入力が供給され、該モータ８０が回転する。該モータ８０が回転すると、その回転駆動力が、伝達機構２１によりレバー３２に伝達される。レバー３２は、該伝達された力を、昇降機構（第１の昇降機構）２２に伝える。
【００１８】
レバー３２は、光ディスクが挿入途中位置にあるとき、伝達機構２１側から伝達された力により作動し、Ｇの部分に配された第２の昇降機構（図示なし）を駆動する。該第２の昇降機構は、カバー部材６を、支点（第２の支点）６ａ、６ｂまたは支点線Ｑの周りに、光ディスクから離間する方向に弾性部材の復元力に抗して変位させ、該光ディスクの先端部との上記当接状態を解く。カバー部材６との該当接状態を解かれた光ディスクは、さらに装置内の奥側に挿入移動される。カバー部材６の上記第２の昇降機構による上記変位動作と、光ディスクの上記挿入移動動作とは互いに並行して行われる。
【００１９】
一方、昇降機構２２は、上記レバー３２から伝達された力で作動し、ユニットメカデッキ部材１２の係合部を押すなどして、該ユニットメカデッキ部材１２に対し、支点２５、２６周りの回動力を与え、該ユニットメカデッキ部材１２をトップカバー部材８側に回動変位（上昇変位）させる。該ユニットメカデッキ部材１２が上昇変位すると、ディスクモータ２、クランパ部３、ディスク平面支持部２ａもいっしょに上昇変位しすなわちユニットメカ部全体が上昇変位し、凸状の該クランパ部３が、挿入移動を終了して所定位置にある光ディスクの中心孔に挿入され、ディスク平面支持部２ａが、例えば光ディスクの中心孔周囲の平面部に一部当接した状態となる。該状態でさらに、ユニットメカデッキ部材１２が上昇変位すると、光ディスクも上昇変位し、該光ディスクは、トップカバー部材８の凹部８ｃのディスク側の対向面に当接し、該対向面からの反力により、クランパ部３がほぼ完全に光ディスクの中心孔内に入り込み、ディスク平面支持部２ａも例えばその全周の部分で光ディスクの中心孔周囲の平面部に当接した状態となる。これにより、光ディスクは該クランパ部３と該ディスク平面支持部２ａによりチャッキングされた状態となる。該チャッキング状態において、クランパ部３の先端面は該トップカバー部材８の貫通孔８ｂから突出し、トップカバー部材８の外側平面部８ａのディスク投影領域内における平面部の高さ位置以上に高い位置となる。ユニットメカデッキ部材１２が上記上昇変位されるとき、送りモータ６０も該ユニットメカデッキ部材１２といっしょに上昇変位する。上記チャッキングのとき、送りモータ６０の駆動入力はオフ状態とされる。ユニットメカデッキ部材１２またはそれを含むユニットメカ部の、上記第１の昇降機構による光ディスクの挿入終点までの上記上昇変位動作は、上記第２の昇降機構によるカバー部材６の上記変位動作に並行して行われる。
【００２０】
上記チャッキングが終了すると、上記昇降機構２２は、モータ８０の駆動入力に基づき、ユニットメカデッキ部材１２を、支点（第１の支点）２５、２６周りに、上記上昇変位の場合とは逆の方向に回動させて下降変位させ、光ディスクをトップカバー部材８の凹部８ｃのディスク側の対向面から離間させ、所定の位置まで下降変位させる。光ディスクが該所定の位置すなわち情報の記録または再生のために回転可能な位置にまで下降変位した状態では、クランパ部３の先端面は、例えば、ディスク投影領域内における該トップカバー部材８の外側平面部の高さ位置よりも低くなるようにされる。ユニットメカデッキ部材１２が上記下降変位されるとき、送りモータ６０も該ユニットメカデッキ部材１２といっしょに下降変位する。また、光ディスクが上記所定の位置に下降変位したとき、モータ８０の駆動入力はオフ状態とされ、ディスクモータ２及び送りモータ６０はそれぞれ、回転可能状態となり、ディスクモータ２による光ディスクの回転駆動と、送りモータ６０による光ピックアップ４の移動が可能となる。送りモータ６０は、例えば駆動入力として駆動パルスが入力されると、所定の回転角または回転数で回転し、モータ回転軸に直結されたリードスクリュー部材７１を回転させる。リードスクリュー部材７１が回転すると、その表面の送りねじに係合したラック部４ｂが、該リードスクリュー部材７１の回転力を直線的移動力として光ピックアップ４側に伝え、該光ピックアップ４が、ガイド部材７２、７３に案内されて光ディスクの略半径方向に所定速度で所定距離移動される。光ピックアップ４は、該移動動作をしながら、対物レンズ４ｂからレーザーを光ディスクの記録面に照射して、情報の記録または再生を行う。
以下の説明中で用いる光ディスク装置１の構成要素には、上記図１、図２の場合と同じ符号を付して用いるものとする。
【００２１】
図３は、図１の光ディスク装置における図１の光ディスク装置におけるユニットメカ部の構成を示す平面図である。
図３において、１００は、クランパ部３及びディスク平面支持部２ａで装置内にチャッキングされた光ディスク、Ｐ−Ｐ'は、２つの支点２５、２６を通る直線（以下、支点線という）である。他の符号は、上記図１、図２の場合と同様である。ユニットメカデッキ部材１２は、その端部Ｔを作用点として昇降機構２２により昇降変位するとき、支点２５、２６周りすなわち支点線Ｐ−Ｐ'周りにＺ軸方向の面内で回動する。該回動による変位量（回動変位量）は、支点２５、２６から遠い位置すなわち支点線Ｐ−Ｐ'から遠い位置ほど大きい。Ｙ'は、ＸＹ平面内で支点線Ｐ−Ｐ'に直角な座標軸、Ｘ'は、ＸＹ平面内でＹ'に垂直な座標軸である。本発明では、装置の小型化、特に薄型化のために、送りモータ６０の回動変位量も少なく抑えるようにしている。このために、送りモータ６０を、チャッキング状態にある光ディスク１００の投影領域内にあって該光ディスク１００の半径方向の中点位置（光ディスク１００の半径の中間位置または光ディスク１００の内径と外径との間の中間点位置）よりも外周側の位置に配する。つまり、送りモータ６０本体部の回動半径方向長さの約１／２の位置の点が、上記光ディスクの半径方向の中点位置よりも外周側の位置にあるようにする。また、支点２５、２６を、チャッキング状態にある光ディスク１００の半径方向の中点位置（光ディスク１００の半径の中間位置または光ディスク１００の内径と外径との間の中間点位置）よりも外周側の位置に配し、送りモータ６０を、上記光ディスク１００の上記投影領域内にあって該光ディスク１００の半径方向の中点位置（光ディスク１００の半径の中間位置または光ディスク１００の内径と外径との間の中間点位置）よりも上記支点２５、２６寄りの位置すなわち上記支点線Ｐ−Ｐ'寄りの位置に配する構成、つまり、送りモータ６０本体部の回動半径方向長さの約１／２の位置の点が、上記光ディスクの半径方向の中点位置よりも上記支点２５、２６寄りの位置にあるようにした構成にすると、小型化、特に薄型化に対しより有効である。図３の構成では、送りモータ６０は、一部が支点線Ｐ−Ｐ'にかかる位置に配してある。
【００２２】
図４は、図１の光ディスク装置における装置内へのディスク挿入時の説明図で、（ａ）は、光ディスクが挿入途中位置にあるときの装置平面図、（ｂ）は、同状態時の装置側面図である。
図４において、１００ａは、挿入された光ディスク１００の記録面、１００ｃは光ディスク１００の先端部、６ｃはカバー部材６の表面側の平面である。他の符号は、上記図１〜図３の場合と同様である。前面パネル７側の挿入・排出口から挿入された光ディスク１００は、その先端部１００ｃが、所定距離挿入された位置で、光ディスク１００の記録面１００ａに対し所定角θ（以下、傾斜角という）だけ傾斜しているカバー部材６の平面６ｃに当接し、該カバー部材６に作用している弾性復元力に抗して該カバー部材６の該平面６ｃを矢印Ｊの方向に押す。該平面６ｃを矢印Ｊ１の方向に押すことで該光ディスク１００は、該カバー部材６の平面から反力を受け、該反力は、該光ディスク１００の記録面１００ａの高さ位置が所定値以上となるように規制する。該光ディスク１００は、先端部１００ｃが、略一定の高さ位置でカバー部材６の平面６ｃに当接された状態のまま該平面６ｃ上を摺動し、装置の奥側に向かって挿入移動する。該挿入移動時に該光ディスク１００はセンタリングも行われる。光ディスク１００（またはその先端部１００ｃ）の該挿入移動に伴い、カバー部材６は、支点（第２の支点６ａ、６ｂ）の周りに変位し、矢印Ｊ１方向に回動する。該回動によって、傾斜角θは減少する。所定の挿入移動位置で、スイッチ５０（図２）がオン状態とされ、モータ８０（図２）に駆動入力が供給され、該モータ８０が回転する。該モータ８０が回転することで、昇降機構（第１の昇降機構）２２と、レバー３２に係合された第２の昇降機構（図示なし）が作動される。第２の昇降機構は、カバー部材６を、支点（第２の支点）６ａ、６ｂまたは支点線Ｑ（図１）の周りに、光ディスク１００の記録面１００ａから離間する方向に回動変位させる。一方、昇降機構（第１の昇降機構）２２は、ユニットメカデッキ部材１２に対し、支点２５、２６または支点線Ｐ−Ｐ'の周りの回動力を与え、該ユニットメカデッキ部材１２を矢印Ｆの方向すなわちトップカバー部材８側に回動変位（上昇変位）させる。上記第２の昇降機構によるカバー部材６の変位動作と、上記昇降機構（第１の昇降機構）２２によるユニットメカデッキ部材１２の変位動作は、互いに略並行して行われる。
【００２３】
図５は、図４のディスク挿入動作における各部の高さ位置の関係を示す図である。
図５において、横軸は時間、縦軸は、移動する各部の高さ位置を示し、さらに、Ａは、時間に対するカバー部材６の先端の高さ位置の変化を示す曲線、Ｂは、時間に対する光ディスク１００の記録面１００ａの高さ位置を示す曲線、Ｃは、時間に対するユニットメカデッキ部材１２の高さ位置の変化を示す曲線、イは、光ディスク１００が装置内へ挿入開始されるディスク挿入開始時点、ロは、光ディスク１００の先端部１００ｃとカバー部材６の平面６ｃとが当接を開始するディスク・カバー当接開始時点、ハは、ユニットメカデッキ部材１２が昇降機構（第１の昇降機構）２２により上昇変位を開始するユニットメカデッキ部材上昇開始時点、ニは、光ディスク１００が、ユニットメカデッキ部材１２によりチャッキングのために上昇変位を開始するディスク上昇開始時点、ホは、上昇変位を開始した光ディスクがカバー部材６の平面６ｃから離間し始める（＝カバー部材６の平面６ｃとの当接状態を解除する）ディスク・カバー当接解除時点、ヘは、カバー部材６が第２の昇降機構により変位を開始するカバー部材引き込み開始時点、トは、光ディスク１００がチャッキングされて回転可能な状態となるディスク回転可能時点である。本図５では、ユニットメカデッキ部材１２は、カバー部材６が第２の昇降機構による回動変位を開始するのに先立って、昇降機構（第１の昇降機構）２２により上昇変位を開始するものとする。
【００２４】
図５において、光ディスク１００がディスク挿入開始時点イにおいて先端部１００ｃを高さ位置ＺＢ１で装置内に挿入され、ディスク・カバー当接開始時点ロで該光ディスク１００の先端部１００ｃがカバー部材６の平面６ｃに当接し該平面６ｃを押す。カバー部材６は、その先端部（カバー部材６の先端部）が第２の昇降機構に係合しているため、該押されることで、該先端部（カバー部材６の先端部）の高さ位置は略一定に保たれた状態のまま、該先端部以外の部分が、該光ディスク１００の先端部１００ｃが当接した部分を主体に撓み、該撓みを発生した状態で、該カバー部材６は、第２の支点６ａ、６ｂ周りに図４の矢印Ｊ１の方向に回動する。
【００２５】
光ディスク１００の先端部１００ｃが装置の奥側に挿入され、ユニットメカデッキ部材上昇開始時点ハになると、ユニットメカデッキ部材１２は、昇降機構（第１の昇降機構）２２による第１の支点２５、２６周りの回動変位（モータ８０の駆動力に基づく変位）を開始し、その高さ位置Ｚｃ１から徐々にトップカバー部材８側に向かって上昇する。このとき、ディスクモータ２、クランパ部３、ディスク平面支持部２ａなども該ユニットメカデッキ部材１２とともに上昇する。
【００２６】
ディスク上昇開始時点ニでは、上記ユニットメカデッキ部材１２とともに上昇変位する上記クランパ部３や上記ディスク平面支持部２ａが、既に所定の挿入位置に達している光ディスク１００に係合し、該光ディスク１００をチャッキングのためにその記録面１００ａの高さ位置ＺＢ１をトップカバー部材８側に向かって上昇させる。該光ディスク１００の記録面１００ａの高さ位置ＺＢ１からの上昇変位により、カバー部材６の上記撓みは徐々に減少し、ディスク・カバー当接解除時点ホになると、該撓みはなくなり、該光ディスク１００の先端部１００ｃは、カバー部材６の平面６ｃから離間して、該平面６ｃとの当接状態が解除される。
【００２７】
さらに、カバー部材引き込み開始時点ヘになると、カバー部材６が第２の昇降機構による変位（モータ８０の駆動力に基づく自動引き込みによる変位）を開始し、該カバー部材６は、第２の支点６ａ、６ｂ周りに図４の矢印Ｊ２の方向に回動し、その先端部の高さ位置も高さＺＡ１の位置から該ユニットメカデッキ部材１２側に向かって下がる。該自動引き込みによる該カバー部材６の下降変位と、上記光ディスク１００の上昇変位とにより、カバー部材６の平面６ｃと光ディスク１００の先端部１００ｃとの離間距離は増大する。
【００２８】
一方、ユニットメカデッキ部材１２は、上昇変位により、高さ位置ＺＣ２に達したとき、光ディスク１００の記録面１００ａを高さ位置ＺＢ２にして、該光ディスク１００をクランパ部３やディスク平面支持部２ａにチャッキングされた状態にする。その後、ユニットメカデッキ部材１２は、昇降機構（第１の昇降機構）２２により、自動的に、第１の支点２５、２６周りに回動して下降変位し、ディスク回転可能時点トで高さ位置ＺＣ３となり、光ディスク１００の記録面１００ａを高さ位置ＺＢ１にし回転可能な状態にする。該ディスク回転可能時点トでは、カバー部材６の先端部の高さ位置は高さＺＡ２の位置となり、光ディスク１００の記録面１００ａの高さ位置ＺＢ１よりも低い位置となる。ユニットメカデッキ部材１２の高さ位置ＺＣ３も、やはり、光ディスク１００の記録面１００ａの高さ位置ＺＢ１よりも低い位置となる。
【００２９】
上記のように、光ディスク１００は、ディスク・カバー当接開始時点ロとディスク・カバー当接解除時点ホとの間の期間（当接期間ｔ１）においては、カバー部材６の平面６ｃに対し当接状態となり、該カバー部材６の平面６ｃから反力を受けて支持された状態とされ、記録面１００ａが高さＺＢ１の位置に保持されるように規制される。また、ディスク・カバー当接解除時点ホとディスク回転可能時点トとの間の期間（非当接期間ｔ２）においては、光ディスク１００は、カバー部材６の平面６ｃから離間した非当接状態となり、該状態でチャッキングも行われる。光ディスク１００が装置から排出される場合にも、該光ディスク１００がカバー部材６の平面６ｃに対し当接状態となる期間が形成され、該期間では記録面１００ａの高さ位置が確保されるように規制される。
【００３０】
図６は、カバー部材６を昇降変位させる第２の昇降機構の部分であって、図２におけるＧの部分の拡大図、図７は、その動作説明図である。
図６、図７において、９０はカム部材、９０ａは、カム部材９０のカム部、９０ｂは、カム部材９０の回動支点、９０ｃは、カバー部材６に係合するカム部材９０の係合部、９５は、カム部材９０を傾斜角θ（図４）を増大させる方向に付勢する弾性部材、３２ａは、カム部材９０のカム部９０ａに係合するレバー３２の対カム係合部である。カム部材９０、弾性部材９５及びレバー３２の対カム係合部３２ａは、第２の昇降機構を構成する。カバー部材６の回動変位の支点６ａ、６ｂは、本実施例構成においては、ユニットメカデッキ部材１２上に設けられる。
【００３１】
レバー３２は、光ディスクが装置内における挿入途中位置にあるとき、伝達機構２１（図２）側から伝達された力により作動し、第２の昇降機構を駆動する。すなわち、レバー３２は、矢印Ｋの方向に移動変位し（図７（ａ））、その先端部の対カム係合部３２ａがカム部材９０のカム部９０ａに係合し、該カム部材９０を，弾性部材９５による弾性復元力に抗して回動支点９０ｂの周りに回動させ、矢印Ｌの方向に変位させる。該カム部材９０の矢印Ｌ方向の変位は、係合部９０ｃに係合されているカバー部材６を矢印Ｊ１の方向に変位させる（図７（ｂ））。レバー３２がさらに矢印Ｋの方向に移動変位すると、レバー３２の対カム係合部３２ａは、カム部材９０のカム部９０ａの係合路曲線の極大部９０ａ１を乗り越えて安定な位置に落ち着く。カム部材９０は、該対カム係合部３２ａの該乗り越え動作に対応して回動変位し、カバー部材６を変位させて保持する（図７（ｃ））。
【００３２】
図８は、図１の光ディスク装置におけるディスクチャッキング時の説明図である。図８は、光ディスク１００の記録面１００ａが高さ位置ＺＢ２（図５）にあって、既にチャッキングされた状態を示す。
図８において、１００は光ディスク、８ｃ１は、トップカバー部材８の凹部８ｃの光ディスク１００側と反対側の面（以下、トップカバー部材８の凹部８ｃの外側平面という）、８ｃ２は、トップカバー部材８の凹部８ｃの光ディスク１００側の対向面（以下、トップカバー部材８の凹部８ｃの内側平面という）、８５は、前面パネル７側に設けられた光ディスク１００の挿入・排出口、矢印Ｆ１は、ユニットメカデッキ部材１２が上昇変位するときの回動方向、矢印Ｆ２は、ユニットメカデッキ部材１２が下降変位するときの回動方向、矢印Ｆ１'は、送りモータ６０がユニットメカデッキ部材１２とともに上昇変位するときの回動方向、矢印Ｆ２'は、送りモータ６０がユニットメカデッキ部材１２とともに下降変位するときの回動方向、ｈ１は、支点２５、２６側のトップカバー部材８の外側平面部８ａ内のディスク投影領域内における平面部の高さ位置とクランパ部３の先端面との間の距離（＝クランパ部３の先端面の外側平面部８ａからの突出量）、ｈ２は、支点２５、２６側とは反対側すなわち昇降機構２２側のトップカバー部材８の外側平面部８ａ内のディスク投影領域内における平面部の高さ位置とクランパ部３の先端面との間の距離（＝クランパ部３の先端面の外側平面部８ａからの突出量）である（ｈ２＞ｈ１とする）。
【００３３】
ユニットメカデッキ部材１２が、昇降機構２２により上昇変位され、光ディスク１００がトップカバー部材８の凹部８ｃの内側平面８ｃ２に当接し、該内側平面８ｃ２からの反力により、クランパ部３がほぼ完全に該光ディスク１００の中心孔内に入り込み、ディスクモータ２の回転部上のディスク平面支持部２ａ（図３には図示なし）も例えばその全周の部分で光ディスク１００の中心孔周囲の平面部に当接した状態となって該光ディスク１００がチャッキングされるとき、クランパ部３の先端面は、トップカバー部材８の貫通孔８ｂから、外側平面８ｃ１の高さ位置を越えて突出し、さらに、該トップカバー部材８の外側平面部８ａのディスク投影領域内における平面部の高さ位置よりもｈ１〜ｈ２高い位置となる。光ディスク１００がチャッキングされた後は、ユニットメカデッキ部材１２が矢印Ｆ２の方向に下降変位してクランパ部３も下降変位する。該下降変位後の所定の高さ位置で光ディスク１００は、記録や再生のために回転可能な状態となる。このように、チャッキング時にクランパ部３の先端面をトップカバー部材８の外側平面部８ａの高さ位置以上に突出させる構成は、上記のように送りモータ６０を、光ディスク１００の外周側の位置や支点２５、２６寄りの位置に配した構成と併せ、該トップカバー部材８の外側平面部８ａの高さ位置を、クランパ部３の先端面の高さ位置に対して低くすることを可能にし、トップカバー部材８の高さ寸法を減らす。これによって、光ディスク装置１の小型化、特に薄型化を可能にする。上記図１〜図４で説明した構成を有する本実施形態の光ディスク装置１において、ｈ１、ｈ２をそれぞれ、例えば０．５×１０−３ｍ以下としたときには、ディスクチャッキング後のクランパ部３の下降変位により、該クランパ部３の先端面を、トップカバー部材８の外側平面部８ａの高さ位置よりも低い位置とすることができ、光ディスク装置１の全体の厚さ寸法を９．５×１０−３ｍ以下とすることも可能となる。
【００３４】
上記本発明の実施形態によれば、光ディスク１００の高さ位置の確保を、ガイドシャフト１５０（図９）などの専用部材を設けることなく、カバー部材６を利用して行うことができ、装置の小型化、特に一層の薄型化を図ることができ、例えば、スロットインタイプの光ディスク装置において、トップカバー部材８の外面とボトムカバー部材１０の外面との間の距離を、９．５×１０−３ｍ以下とすることが可能となる。さらに、送りモータ６０を、光ディスク１００の投影領域内で、該光ディスク１００の外周側の位置または該光ディスク１００の外周側に配された支点２５、２６（または支点線Ｐ−Ｐ'）寄りの位置に設ける構成や、クランパ部３の先端面を、トップカバー部材８の貫通孔８ｂから外側平面部８ａの高さ以上に突出させる構成と併せることで、装置の一層の小型化特に一層の薄型化が可能となる。
【００３５】
なお、上記実施形態では、ユニットメカデッキ部材１２が、カバー部材６が第２の昇降機構によって回動変位を開始するのに先立ち、昇降機構（第１の昇降機構）２２により上昇変位を開始するものとした（図５）が、本発明はこれに限定されない。また、上記実施形態では、カバー部材５、６のうち、カバー部材６のみを可動させる構成としたが、これにも限定されない。また、上記実施形態では、弾性部材を用い、上記カバー部材が、カバー部材の平面の光ディスク平面に対する傾斜が増大する方向の該弾性部材の弾性復元力により付勢される構成としたが、本発明はこれにも限定されず、この他、例えば、弾性部材を用いずに、カバー部材自体などの弾性復元力により付勢される構成としてもよい。さらに、上記実施形態では、スロットインタイプの光ディスク装置の場合につき説明したが、本発明はこれにも限定されない。
【図面の簡単な説明】
【００３６】
【図１】本発明の一実施形態としての光ディスク装置の構成例図である。
【図２】図１の光ディスク装置の内部構成の平面図である。
【図３】図１の光ディスク装置のユニットメカ部の構成を示す平面図である。
【図４】図１の光ディスク装置におけるディスク挿入時の説明図である。
【図５】図４のディスク挿入動作における各部の高さ関係を示す図である。
【図６】図１の光ディスク装置においてユニットメカ部を覆うカバー部材を昇降変位させる昇降機構の拡大図である。
【図７】図６の昇降機構の動作説明図である。
【図８】図１の光ディスク装置におけるディスクチャッキング時の説明図である。
【図９】従来技術例を示す図である。
【符号の説明】
【００３７】
１…光ディスク装置、
２…ディスクモータ、
２ａ…ディスク平面支持部、
３…クランパ部、
４…光ピックアップ、
４ａ…対物レンズ、
４ｂ…ラック部、
５、６…カバー部材、
６ａ、６ｂ、２５、２６…支点、
７…前面パネル、
８…トップカバー部材、
１０…ボトムカバー部材、
１１…ベース部材、
１２…ユニットメカデッキ部材、
２１…伝達機構、
２２…昇降機構、
３１、３２、３３…レバー、
３１ａ…支点部材、
４１、４２…ローラ、
４３…アーム、
５０…スイッチ、
６０…送りモータ、
７１…リードスクリュー部材、
７２、７３…ガイド部材、
８０…モータ、
９０…カム部材、
９０ａ…カム部、
９０ｂ…回動支点、
９０ｃ…係合部、
９５…弾性部材、
１００…光ディスク。
【図１】
2006260719.tif 000003
【図２】
2006260719.tif 000004
【図３】
2006260719.tif 000005
【図４】
2006260719.tif 000006
【図５】
2006260719.tif 000007
【図６】
2006260719.tif 000008
【図７】
2006260719.tif 000009
【図８】
2006260719.tif 000010
【図９】
2006260719.tif 000011